(57)【要約】【目的】本発明は２００２年に環境省、農林水産省、経済産業省の三省が「バイオマス・ニッポン総合戦略」を発表したが、このバイオマス利用の重要性にそって発明したバイオマスの処理と堆肥の簡易製造方法であり、刈り取った草木等のバイオマスを従来のように廃棄物扱いすることなく、景観を損なうことなく、肥料や堆肥として蘇らせる簡単で効率的な刈り取った草木等バイオマスの処理法及び簡易堆肥製造法に関するものである。【構成】刈り取った草木等のバイオマス１を木２の根元付近にほぼ円錐状に集積し、景観を損なわない配色とデザインの保護カバー３等にて木２の幹をほぼ中心基点としてほぼ円錐形状に覆い地面と固定することを特徴とした刈り取った草木等バイオマスの処理法及び簡易堆肥製造法である。【選択図】  図３
2006001824.tif 000002
【特許請求の範囲】
【請求項１】
刈り取った草木等のバイオマス１を木２の根元周囲に集積し、バイオマスの保護カバーにて覆い固定することを特徴とした刈り取った草木等バイオマスの処理法及び簡易堆肥製造法。
【請求項２】
木２をバイオマス１の堆肥化による発酵作用から守るための保護筒８をセットした木２の根元周囲に刈り取った草木等のバイオマス１を集積して、米糠や鶏糞や牛糞や尿素等の発酵剤を混ぜ込んで水をかけたり、微生物発酵剤を入れたバイオマス１を木２の幹をほぼ中央基点として円錐類似形状の保護カバー３にて覆い固定することを特徴とした刈り取った草木等バイオマスの処理法及び簡易堆肥製造法。
【請求項３】
保護筒８は縦方向に決断部を有した筒状であり、保護カバー３は両側を重ね合わせてセットした際に底面の無い円錐型カバーの先端を切り取ったデザイン構成として、底側外周には固定用の杭打ち孔４や縦側重ね部には重ね固着用の結び孔５等の固定用付属部を有する構成を特徴とした請求項２記載の刈り取った草木等バイオマスの処理法及び簡易堆肥製造法。
【請求項４】
平地に刈り取った草木等のバイオマス１を集積して円錐類似形状の保護カバー３にて覆い固定する方法もある請求項２記載の刈り取った草木等のバイオマスの処理法及び簡易堆肥製造法。
【請求項５】
保護カバー３の底側外周接地部に溝を掘ることを特徴とした請求項１及び請求項２及び請求項４記載の刈り取った草木等のバイオマスの処理法及び簡易堆肥製造法。
【請求項６】
バイオマス１を集積していない木２に保護カバー３をセットして遮光作用により雑草の成育を防止する方法の刈り取った草木等のバイオマスの処理法及び簡易堆肥製造法。
【発明の詳細な説明】
【技術分野】
【０００１】  本発明は２００２年に環境省、農林水産省、経済産業省の三省が「バイオマス・ニッポン総合戦略」を発表したが、このバイオマス利用の重要性にそって発明したバイオマスの処理と堆肥の簡易製造方法であり、刈り取った草木等のバイオマスを従来のように廃棄物扱いすることなく、景観を損なうことなく、肥料や堆肥として蘇らせる簡単で効率的な刈り取った草木等バイオマスの処理法及び簡易堆肥製造法に関するものである。
【背景技術】
【０００２】  従来、一部の郊外や田舎や山中以外の地域や環境に関心のある賢識者以外の人については、刈り取った草木等のバイオマスは廃棄物として処理し焼却炉で燃焼する技術が一般的であった。
【発明が解決しようとする課題】
【０００３】  従来、環境や景観を良くするなどの目的で刈り取られた草木等のバイオマス１は運搬車などで収集され焼却炉に運ばれて焼却される方法が一般的であったため、下記の問題があった。
（イ）刈り取った草木等のバイオマス１を収集して焼却炉へ運搬しなければならず、その手間やコストは多大であった。
（ロ）焼却炉へ運ばれたバイオマス１は重油等で燃焼させるため、エネルギー的にもコスト的にも大変無駄であり、地球環境をも害するものであった。
（ハ）バイオマス１を焼却することは問題で有ると危惧する人も多いが、有効な方法が発明されていなかった。
【０００４】  郊外や山中等の一部地域に於て、刈り取った草木等のバイオマス１を野積みする場合もあるが自然の景観を損ねるし発酵性も良くなく、風雨により散乱する恐れもあり問題であったし、街路樹等に於ては木の根元より雑草が生えて景観を損なうし、その除去作業には多分のコストを費やしていた。
【課題を解決するための手段】
【０００５】  いまその課題を解決するための方法を説明すれば、
請求項１については、刈り取った草木等のバイオマス１を木２の根元付近にほぼ円錐状に集積し、景観を損なわない配色とデザインの保護カバー３等にて木２の幹をほぼ中心基点としてほぼ円錐形状に覆い地面と固定することを特徴とした刈り取った草木等バイオマスの処理法及び簡易堆肥製造法である。
【０００６】  請求項２については木２をバイオマス１の堆肥化による高温等の発酵作用から守るための保護筒８をセットした木２の根元周囲に刈り取った草木等のバイオマス１を集積して、米糠や鶏糞や牛糞や尿素等の発酵剤を混ぜ込んで水をかけたり、ＥＭ菌等の微生物発酵剤を入れたバイオマス１を木２の幹を保護する保護筒８をほぼ中央基点として円錐類似形状の保護カバー３にて覆い固定することを特徴とした刈り取った草木等バイオマスの処理法及び簡易堆肥製造法である。
【０００７】  請求項３については保護筒８は縦方向に決断部を有した筒状であり、保護カバー３は両側を重ね合わせてセットした際に底面の無い円錐型カバーの先端を切り取ったデザイン構成として、底側外周には固定用の杭打ち孔４や縦側重ね部には重ね固着用の結び孔５等の固定用付属部を有する構成を特徴とした請求項２記載の刈り取った草木等バイオマスの処理法及び簡易堆肥製造法である。
【０００８】  請求項４については平地に刈り取った草木等のバイオマス１をほぼ円錐状に集積して円錐類似形状の保護カバー３にて覆い固定する方法の刈り取った草木等のバイオマスの処理法及び簡易堆肥製造法である。
【０００９】  請求項５については円錐類似形状の保護カバー３の底側外周接地部付近を円周状に掘って溝を作ったことを特徴とした刈り取った草木等のバイオマスの処理法及び簡易堆肥製造法である。
【００１０】  請求項６についてはバイオマス１を集積していない木２の幹に保護カバー３をセットして遮光作用により雑草の成育を防止する方法の刈り取った草木等のバイオマスの処理法及び簡易堆肥製造法である。
【作用】
【００１１】  次に本発明の作用を述べると、
請求項１及び請求項２については、刈り取った草木等のバイオマス１を木２の根元から若干離れた周囲にほぼ円錐状に集積し、景観を損なわない配色とデザインの保護カバー３等にて木２の幹をほぼ中心基点としてほぼ円錐形状に覆い地面と固定する方法であるため、保護カバー３は木２の幹を基点とした安定状態に固定できるし、景観を損なうこともなく、保護カバー３内部の発酵温度は６０℃〜７０℃に達し有効な発酵を促進する作用であり、約３カ月〜６カ月で完熟した堆肥は、少量の場合はそのまま木２の肥料としても作用するが、大量の場合は自然農法や無農薬農法用等として収集し運用する作用である。
【００１２】  請求項３については保護カバー３は両側を重ね合わせて木２の幹を基点としてセットした際に先端を切り取った円錐状に類似する構成であるため、降った雨水は木２の幹を伝って根部に補水する作用であるし、バイオマス１は保護カバー３の保温性により有効に発酵させる作用であるし、底側周囲固定用の杭打ち孔４に杭６を打って固定し、縦側重ね部は重ね固着用の結び孔５を紐７で結んで固着することにより安定した状態でセットする作用であるし、バイオマス１の集積状態に応じて縦側重ね部の重ね代で調整する作用であるし、保護筒８は木２をバイオマスの堆肥化による発熱などから保護する作用である。
【００１３】  請求項４については平地に刈り取った草木等のバイオマス１をほぼ円錐状に集積して保護カバー３にて覆い固定する作用であり、平地に於ても景観を損なうことなく安定した状態でバイオマス１の保護と堆肥製造を可能とする作用である。
【００１４】  請求項５については保護カバー３の底側外周接地部付近を円周状に溝を掘ることにより保護カバー３の安定性を良くし、水捌けや水の補給を有効にする作用である。
【００１５】  請求項６については保護カバー３内にバイオマス１を入れないで、木２の根元や平地にセットすることによる遮光作用により雑草の成育を防止する。
【発明を実施するための最良の形態】
【００１６】  具体実施例を述べれば、
（イ）保護カバー３の材質は保温性が良く約１年程度で分解して土に還る素材が有効である。
（ロ）保護カバー３に廃棄マット材などをリサイクル目的で利用することもある。
（ハ）保護カバー３の固定用は杭打ち孔４や結び孔５に限定せずウエイト方式、土盛り方式、フック方式や面ファスナー方式、ホック方式等の周知の技術でもよい。
（ニ）バイオマス１に微生物資材のＥＭ菌等を混合して、堆肥化の促進や防臭効果をはかる。
（ホ）保護カバー３を人工芝や人工草木として景観を損ねないデザイン構成とする。
（ヘ）保護カバー３は用途や環境に応じて通気性や通水性の良い素材を使用する場合がある。
（ト）請求項４の平地にセットする保護カバー３は形状保持のため上端開口部や側壁などに補強を入れる場合がある。
（チ）雑草成育防止のため街路樹等にセットする場合には景観を損なわないデザインとするし、光触媒を塗布する等の環境向上剤と組み合わせる。
（リ）保護筒８は箱形でも良いし、保護筒８をセットせずバイオマス１を集積する際に木２の幹から離して集積しても良い。
【発明の効果】
【００１７】  本発明は国の新しい政策となったバイオマス利用推進テーマを原点に還り促進するものであり、その具体効果を述べれば、
（イ）刈り取った草木等のバイオマスを焼却炉へ運送する手間と費用が不用となる。
（ロ）バイオマスを焼却炉で燃やす手間と費用が不用となる。
（ハ）バイオマスを燃やす必要がないため炭酸ガス削減など地球環境保全に貢献します。
（ニ）従来、焼却され廃棄物としてのバイオマスが堆肥化により有用な肥料としての価値が発生します。
（ホ）バイオマスを集積した樹木自体の肥料になり成育を促進します。
（ヘ）出来上がった堆肥を収集して、自然農法や無農薬農法など、いわゆるオーガニック農法の肥料として利用できます。
（ト）カブト虫やクワガタ虫などの昆虫の住処や産卵場として自然還元に貢献します。
（チ）保護カバー３を被せることにより雑草の発生を防止します。
（リ）景観を損なうことなく、風雨により散乱することなく、何処でも、誰でもが堆肥を作ることが可能ですし、庭先をオーガニック農園などにして楽しむこともできます。
（ヌ）保護カバー３は屋外の大容量型簡易コンポストとして多岐に利用できます。
【００１８】  本発明の、刈り取った草木等バイオマスの処理法及び簡易堆肥製造法は、従来廃棄物として焼却されていたバイオマスを有用な堆肥や肥料資材として活用しようとするものであり、バイオマス活用を推進する国策にも適合し、地球環境保全、社会環境保護、強いては人間の健康保持に大きく貢献するものであります。
【図面の簡単な説明】
【図１】本発明の木２に刈り取った草木等のバイオマス１を集積した状態の一例を示す斜視図
【図２】本発明の保護カバー３を木２にセットしようとした状態の一例を示す斜視図
【図３】本発明の保護カバー３を木２にセットした状態の一例を示す斜視図
【図４】本発明の平地に刈り取った草木等のバイオマスを集積した状態の一例を示す斜視図
【図５】本発明の保護カバー３を平地に集積したバイオマス１にセットしようとした状態の一例を示す斜視図
【図６】本発明の保護カバー３を平地に集積したバイオマス１にセットした状態の一例を示す斜視図
【符号の説明】
１はバイオマス              ２は木
３は保護カバー              ４は杭打ち孔
５は結び孔                  ６は杭
７は紐                      ８は保護筒
【図１】
2006001824.tif 000003
【図２】
2006001824.tif 000004
【図３】
2006001824.tif 000005
【図４】
2006001824.tif 000006
【図５】
2006001824.tif 000007
【図６】
2006001824.tif 000008